(57)【要約】【課題】  運動者の力に対して適度な反力を発生する運動具を提供することを課題とする。【解決手段】  横長方形のシート状の本体１１と、本体１１に設けられ、本体１１の長辺側の一方の辺の一方の側に開口を有する袋状の第１の挿入部１５と、本体１１に設けられ、本体１１の長辺側の他方の辺の他方の側に開口を有する袋状の第２の挿入部１９とを備え、本体１１は、布体でなり、本体１１の長辺方向に伸縮性が発生するように、布目をバイヤスにとる。【選択図】        図１
2007044321.tif 000002
【特許請求の範囲】
【請求項１】
横長方形のシート状の本体と、
前記本体に設けられ、前記本体の長辺側の一方の辺の一方の側に開口を有する袋状の第１の挿入部と、
前記本体に設けられ、前記本体の長辺側の他方の辺の他方の側に開口を有する袋状の第２の挿入部と、を備え、
前記本体は、
布体でなり、
前記本体の長辺方向に伸縮性が発生するように、布目をバイヤスにとったことを特徴とする運道具。
【請求項２】
前記本体には、
複数の穴が形成されていることを特徴とする請求項１記載の運道具。
【請求項３】
前記本体の前記第１の挿入部と前記第２の挿入部との間に、
前記本体を前記本体の短辺方向に絞る方向に付勢する絞り部を設けたことを特徴とする請求項１または２記載の運道具。
【請求項４】
前記本体に、
前記絞り部を境として、前記第１の挿入部が設けられた側に、前記第１の挿入部と同じ方向に開口が形成された袋状の第１’の挿入部を設け、
前記絞り部を境として、前記第２の挿入部が設けられた側に、前記第２の挿入部と同じ方向に開口が形成された袋状の第２’の挿入部を設けたことを特徴とする請求項１乃至３のいずれかに記載の運道具。
【請求項５】
水に浮くことを特徴とする請求項１乃至４のいずれかに記載の運道具。
【請求項６】
通水性を有することを特徴とする請求項１乃至５のいずれかに記載の運道具。
【発明の詳細な説明】
【技術分野】
【０００１】
本発明は、運動具に関し、特に高齢者や障害者に適し、また陸上のみならず水上においても使用することのできる水陸用の運動具に関する。
【背景技術】
【０００２】
従来、陸上や水中において手足を伸縮等させるための種々の運動具が提案されていた。
例えば陸上用の運動具としては、エキスパンダーやゴムシートが提案されていた。このうちエキスパンダーは、左右一対の取手を複数本の巻きバネにて連結して構成されており、これら一対の取手を巻きバネの弾性力に抗して左右に引き離すことにより運動を行うものである。またゴムシートは、ゴム製のシート体を横長方形状に加工して形成されており、その両端部を握り、ゴムの弾性力に抗して左右に引っ張ることにより運動を行うものである。
【０００３】
また水中用の運動具としてはアクアミットが提案されていた。このアクアミットは、左右一対の手袋をネオプレーンの如き浮力を有する素材にて形成したもので、各手袋に手を入れて水中で動かすことにより、水中抵抗を得ながら効率的な運動を行うものである。
【０００４】
しかし、これら運動具には、以下のような問題点があった。
（１）エキスパンダーは、取手を握って運動を行っている途中に、高齢者や障害者は一般に握力が弱いために、取手から手を離してしまうことが多かった。
ゴムシートのように取手が設けられていない運動具は、握ること自体が難しく、また一旦握ることができた場合であってもやはり手を離してしまうことが多かった。
【０００５】
運動具から手を離してしまうことは運動者本人にとって心理的負担となり、人目を気にする余り、運動自体を敬遠させる原因となることがあった。
エキスパンダーやゴムシートには浮力がないため、水中で使用した場合に手を離してしまうと沈んでしまい、再び手にとることが困難であった。したがって現実的には、これらエキスパンダーやゴムシートは水中で使用することがほぼ不可能であった。
【０００６】
エキスパンダーやゴムシートは、手で握るものであり、したがって上半身の運動には適しているものの、下半身の運動には不適であった。
（２）アクアミットは水中で使用することができるものの、陸上で使用した場合には水の抵抗を得ることができないために運動にならず、現実的には陸上で使用することが不可能であった。
【０００７】
又、アクアミットは左右一対に分離されているため、例えば水中抵抗を受けながら上半身を左右に捻るような運動をした場合、アクアミットに受ける抵抗以外には運動を規制する力が働かないために限界まで捻ってしまうことがあり、体を痛めてしまうおそれがあった。
【０００８】
アクアミットは、手に嵌めて使用するものであり、したがって上半身の運動には適しているものの、下半身の運動には不適であった。
そこで、本願の出願人は、これら問題点を解消した運動具を提案している。具体的には、図４に示すように、横長方形のシート状の本体１と、この本体１に設けられ、本体１の長辺側の一方の辺１ａの一方の端部側に開口４を有する袋状の第１の挿入部２と、本体１に設けられ、本体の長辺側の他方の辺１ｂの他方の端部側に開口５を有する袋状の第２の挿入部３とを有している。
【０００９】
そして、開口４、５を介して挿入部２、３内に手及び又は足を挿入可能としている。また挿入部２、３は手又は足に対応した幅及び長さ等にて形成されている。
このような運道具は、開口部を介して挿入部内に手及び又は足を挿入した状態で運動を行うことができるために力が逃げず、手を運動具から不用意に離してしまうことなく運動を行うことができる。したがって容易に運動を行うことができる。
【００１０】
また体を左右に捻るような運動をした場合にも、左右の挿入部が本体によって連結されているために捻りが自然に規制され、必要以上に捻って体を痛めてしまうようなことがない。したがって一層安全に運動を行うことができる。
【００１１】
これらのことから、高齢者や障害者も、容易かつ安全に運動を行うことができる（例えば、特許文献１参照）。
【特許文献１】実願平１１−００１５８９号（図１）
【発明の開示】
【発明が解決しようとする課題】
【００１２】
図４に示す運動具は、伸縮性を有し、運動者の力に対して適度な反力を発生するものが好ましい。
従来、綿、絹、ナイロン等の化学繊維をメッシュ状に織り込んで形成された布材が用いられているが、伸縮性が不足し、適度な反力が得られないという問題点があった。
【００１３】
本発明は、上記問題点に鑑みてなされたもので、その課題は、運動者の力に対して適度な反力を発生する運動具を提供することにある。
【課題を解決するための手段】
【００１４】
上記課題を解決する請求項１に係る発明は、横長方形のシート状の本体と、前記本体に設けられ、前記本体の長辺側の一方の辺の一方の側に開口を有する袋状の第１の挿入部と、前記本体に設けられ、前記本体の長辺側の他方の辺の他方の側に開口を有する袋状の第２の挿入部と、を備え、前記本体は、布体でなり、前記本体の長辺方向に伸縮性が発生するように、布目をバイヤスにとったことを特徴とする運道具である。
【００１５】
請求項２に係る発明は、前記本体には、複数の穴が形成されていることを特徴とする請求項１記載の運道具である。
請求項３に係る発明は、前記本体の前記第１の挿入部と前記第２の挿入部との間に、前記本体を前記本体の短辺方向に絞る方向に付勢する絞り部を設けたことを特徴とする請求項１または２記載の運道具である。
【００１６】
請求項４に係る発明は、前記本体に、前記絞り部を境として、前記第１の挿入部が設けられた側に、前記第１の挿入部と同じ方向に開口が形成された袋状の第１’の挿入部を設け、前記絞り部を境として、前記第２の挿入部が設けられた側に、前記第２の挿入部と同じ方向に開口が形成された袋状の第２’の挿入部を設けたことを特徴とする請求項１乃至３のいずれかに記載の運道具である。
【００１７】
請求項５に係る発明は、水に浮くことを特徴とする請求項１乃至４のいずれかに記載の運道具である。
請求項６に係る発明は、通水性を有することを特徴とする請求項１乃至５のいずれかに記載の運道具である。
【発明の効果】
【００１８】
請求項１−請求項６に係る発明によれば、本体は、布体でなり、前記長辺方向の伸縮に伸縮性が発生するように、布目をバイヤスにとったことにより、従来よりも伸縮性が大きくなり、適度な反力を得ることができる。
【００１９】
請求項２に係る発明によれば、前記本体には、複数の穴が複数形成されていることにより、前記本体の剛性が減少し、従来よりも伸縮性が大きくなり、適度な反力を得ることができる。
【００２０】
請求項３に係る発明によれば、前記本体の前記第１の挿入部と前記第２の挿入部との間に、前記本体を前記本体の短辺方向に絞る方向に付勢する絞り部を設けたことにより、第１の挿入部と第２の挿入部とを同じ側になるように、本体をねじる場合に、容易にねじることができる。
【００２１】
請求項４に係る発明によれば、前記本体に、前記絞り部を境として、前記第１の挿入部が設けられた側に、前記第１の挿入部と同じ方向に開口が形成された第１’の挿入部を設け、前記絞り部を境として、前記第２の挿入部が設けられた側に、前記第２の挿入部と同じ方向に開口が形成された第２’の挿入部を設けたことにより、様々な運動者の体格に対応できる。
【００２２】
請求項５に係る発明によれば、水に浮くことにより、運動具を水中で使用した時に誤って運動具から手を離してしまっても、運動具が沈むことがないため、再び運動具を手にとって容易に装着することができる。
【００２３】
請求項６に係る発明によれば、通水性を有することにより、運動具を水中で上下左右に動かした場合に、運動具を水が適度に通過し、運動に適した水中抵抗のみを運動具に対して生じさせることができる。
【発明を実施するための最良の形態】
【００２４】
図面を用いて、実施の形態例の運動具を説明する。
図１は本実施形態の運動具の全体斜視図、図２は図１の切断線Ａ−Ａでの断面図である。
【００２５】
図１、図２に示すように本実施形態の運動具は、２枚の横長方形のシート状の布１０、１０’（図２参照）の端部同士を環状となるように縫い合わせてなる本体１１を有している。
【００２６】
本体１１の長辺側の一方の辺の一方の側には、開口１３を有する第１の挿入部１５が、本体１１の長辺側の他方の辺の他方の側に開口１７を有する第２の挿入部１９がそれぞれ形成されている。第１の挿入部１５の開口１３が形成された辺と対向する辺側、第２の挿入部１９の開口１７と対向する辺側は、縫い合わされ、第１の挿入部１５、第２の挿入部１９は袋状となっている。
【００２７】
そして、本体１１の第１の挿入部１５と第２の挿入部１９との間には、本体１１を本体１１の短辺方向に絞る方向に付勢する絞り部２１が設けられている。具体的には、本体１１を短辺方向に絞って、ギャザーが形成された状態で、本体１１の内面にゴムひも２３、２３’を縫い合わせることにより形成した。
【００２８】
又、本体１１を形成する布１０、１０’は、綿、絹、ナイロン等の化学繊維をメッシュ状に織り込んで形成された布材でなり、水に浮く性質と、通水性を有している。更に、本体１１の長辺方向に伸縮性が発生するように、布目をバイヤスにとっている。布１０、１０’には、複数の穴２５が形成されている。
【００２９】
更に、本形態例では、本体１１に、絞り部２１を境として、第１の挿入部１５が設けられた側（更に、詳しくは、第１の挿入部１５の絞り部２１側に隣接して）に、第１の挿入部１５と同じ方向に開口３３が形成された第１’の挿入部３５を設けた。同様に、絞り部２１を境として、第２の挿入部１９が設けられた側（更に詳しくは、第２の挿入部１９の絞り部２１側に隣接して）に、第２の挿入部１９と同じ方向に開口３７が形成された第２’の挿入部３９を設けた。第１’の挿入部３５の開口３３が形成された辺と対向する辺側、第２’の挿入部３９の開口３７と対向する辺側は、縫い合わされ、第１’の挿入部３５、第２’の挿入部３９は袋状となっている。
【００３０】
そして、第１’の挿入部３５と第２’の挿入部３９との間は、本体１１の長辺側の２つの辺に開口４１、４３が形成された貫通部４５となっている。
本形態例の運動具は、第１の挿入部１５、第１’の挿入部３５、第２の挿入部１９、第２’の挿入部３９に手（以下、特に説明なき場合には、手首から手の指先までの間を「手」と称する）や足を挿入して、本体１１１を収縮させる運動具である。
【００３１】
ここで、本形態例の運動具を用いた使用例を説明する。
まず図３（ａ）に示すように、左手を挿入した第１の挿入部１５に本体１１を複数回巻き付け、右手を挿入した第２の挿入部１９を前方に動かすような運動を行うと、この前方への力に対する反力が後方（右手を運動者側に引きつける方向）に生じる。したがって、この反力に抗しつつ右手を前方に動かすことにより、右手の筋力を鍛えることができる。
【００３２】
又、図３（ｂ）に示すように、本体１１を中央部でねじって、右手を挿入した第１の挿入部１５を両腿で挟み、左手を挿入した第２の挿入部１９を上方に動かすような運動を行うと、この上方への力に対する反力が下方（左手を運動者側に引きつける方向）に生じる。したがって、この反力に抗しつつ左手を上方に動かすことにより、左手の筋力を鍛えることができる。後方に引くことにより使用者の力によって関節の可動いききに適応する。またこの運動は右手を挿入した第１の挿入部１５を両腿で挟みながら行われるため、股関節や膝関節に負担をかけることなく下肢の筋肉をまたえ柔軟な動きに対応し大腿筋を鍛えることができる。
【００３３】
なお当然のことながら、図３（ａ）（ｂ）において図示した運動は、右手と左手を逆にして行うこともできる。
又、図３の運動以外にも多種多様な運動を行うことができ、例えば第１の挿入部１５、第２の挿入部１９に手を挿入し、第１の挿入部１５、第２の挿入部１９を掌内に徐々に握りこむことにより、指先の神経や握力を鍛えることができる。また本運動具を背中に回してストレッチ等を行うこともでき、この場合には特に運動具から手が放れやすいため、上記の挿入部を備えた本運動具は有用である。これら本運動具による運動は、立ち上がった状態でも、イスに座った状態でも同様に行うことができ、また陸上のみならず水中においても同様に行うことができる。その他、本運動具は任意の運動に使用されてよいものである。
【００３４】
このような構成によれば、以下のような効果を得ることができる。
（１）本体１１は、布１０、１０’でなり、長辺方向の伸縮に伸縮性が発生するように、布目をバイヤスにとったことにより、従来よりも伸縮性が大きくなり、適度な反力を得ることができる。
【００３５】
（２）本体１１には、複数の穴２５が複数形成されていることにより、本体１１の剛性が減少し、従来よりも伸縮性が大きくなり、適度な反力を得ることができる。
（３）本体１１の第１の挿入部１５と第２の挿入部１９との間に、本体１１を本体１１の短辺方向に絞る方向に付勢する絞り部２１を設けたことにより、第１の挿入部１５と第２の挿入部１９とを同じ側になるように、本体１１をねじる場合に、容易にねじることができる。
【００３６】
（４）本体１１に、絞り部２１を境として、第１の挿入部が設けられた側に、前記第１の挿入部と同じ方向に開口が形成された第１’の挿入部を設け、前記絞り部を境として、前記第２の挿入部が設けられた側に、前記第２の挿入部と同じ方向に開口が形成された第２’の挿入部を設けたことにより、様々な運動者の体格に対応できる。
【００３７】
（５）本体１１は、水に浮くことにより、運動具を水中で使用した時に誤って運動具から手を離してしまっても、運動具が沈むことがないため、再び運動具を手にとって容易に装着することができる。
【００３８】
（６）本体１１は、通水性を有することにより、運動具を水中で上下左右に動かした場合に、運動具を水が適度に通過し、運動に適した水中抵抗のみを運動具に対して生じさせることができる。
【００３９】
（７）浮力や通水性を備えた布材は、一般に軽量で乾燥性に優れていることから、水中での使用後でも短時間で乾燥させ、容易に持ち運びすることができる。
【図面の簡単な説明】
【００４０】
【図１】実施形態の運動具の全体斜視図である。
【図２】図１の切断線Ａ−Ａでの断面図である。
【図３】形態例の運動具を用いた使用例を説明する図である。
【図４】従来の運動具を説明する図である。
【符号の説明】
【００４１】
１１  本体
１５  第１の挿入部
１９  第２の挿入部
【図１】
2007044321.tif 000003
【図２】
2007044321.tif 000004
【図３】
2007044321.tif 000005
【図４】
2007044321.tif 000006